(57)【要約】【課題】本発明は、厚さ及び幅寸法の異なる２種類のカード部材を、補助部材を使わなくともカード装着部に装着可能なカード用コネクタ装置を提供すること。【解決手段】本発明のカード用コネクタ装置は、第１カード挿入口（図示せず）を挟んで第１ガイド壁６ｃと対向する側には、第１カード挿入口の幅寸法を狭める方向に臨出可能な第２カード案内部材１２を配設し、第１カード部材１９を第１カード挿入口に挿入する際には、第２カード案内部材１２が第１カード部材１９に押されて第１カード挿入口の外側に位置し、第２カード部材２０を第２カード挿入口（図示せず）に挿入する際には、第２カード案内部材１２が臨出して第２ガイド壁６ｄと共に第２カード部材２０の幅方向をガイドしてカード装着部に案内するようにした。【選択図】　　　　図１
2004071257.tif 000002
【特許請求の範囲】
【請求項１】
幅広肉厚な第１カード部材と幅狭肉薄な第２カード部材を挿入可能なカード挿入部と、このカード挿入部から挿入した前記第１または第２カード部材を装着可能なカード装着部とを備え、
前記カード挿入部には、前記第１カード部材の一方の側縁部をガイド可能な第１ガイド壁を有する第１カード挿入口と、前記第１ガイド壁の一部を前記第１または第２カード部材の幅方向に延出して形成され前記第２カード部材の一方の側縁部をガイド可能な第２ガイド壁を有する第２カード挿入口とを設け、
前記第１カード挿入口を挟んで前記第１ガイド壁と対向する側には、前記第１カード挿入口の幅寸法を狭める方向に臨出可能な第２カード案内部材を配設し、前記第１カード部材を前記第１カード挿入口に挿入する際には、前記第２カード案内部材が待避して収納部に位置し、前記第２カード部材を前記第２カード挿入口に挿入する際には、前記第２カード案内部材が臨出して前記第２ガイド壁と共に前記第２カード部材の幅方向をガイドして前記カード装着部に案内するようにしたことを特徴とするカード用コネクタ装置。
【請求項２】
前記第１カード挿入口には、前記第２カード挿入口に挿入する前記第２カード部材の裏面側を持ち上げて前記第２カード部材の高さ位置を規制可能な高さ規制部材を配設し、この高さ規制部材は、前記第１カード挿入口の底壁上に回動可能に支持されると共に前記第２カード案内部材を臨出状態に位置規制可能な規制部を形成し、前記第２カード案内部材は、前記第１カード挿入口に挿入する前記第１カード部材に押されて前記高さ規制部材が下方に回動することにより、前記第２カード案内部材に対する位置規制が解除されるようにしたことを特徴とする請求項１記載のカード用コネクタ装置。
【請求項３】
前記高さ規制部材と前記底壁との間には第１弾性部材を配設し、この第１弾性部材の付勢力で上方に回動した前記高さ規制部材は、前記規制部が臨出状態の前記第２カード案内部材に係合によって、所定の回動位置で回動が規制されるようにしたことを特徴とする請求項２記載のカード用コネクタ装置。
【請求項４】
前記第２カード案内部材は、一端部側に支軸を形成し、他端部側に前記第２カード部材の他方の側縁部をガイド可能な腕部を形成し、前記支軸を前記第１カード挿入口の外側に支持すると共に、前記腕部を第２弾性部材で付勢することにより、前記第２カード案内部材が臨出可能としたことを特徴とする請求項１乃至３のいずれかに記載のカード用コネクタ装置。
【請求項５】
前記第１カード部材は、前記第２カード部材より長く形成され、前記カード装着部には、前記第１カード部材を装着可能な第１装着部を奥側に、前記第２カード部材を装着可能な第２装着部を手前側に形成し、前記第１装着部には、前記第１カード部材の複数の接触部が接触可能な複数の第１端子部材を並設し、前記第２装着部には前記第２カード部材の接触部が接触可能な複数の第２端子部材を並設し、前記第１カード部材を挿入する際には、前記第１カード部材の前記接触部に接触しない位置まで前記第２端子部材を下方に撓ませる押圧部材を配設したことを特徴とする請求項１乃至４のいずれかに記載のカード用コネクタ装置。
【請求項６】
前記押圧部材には、前記第２カード部材を前記第２装着部に挿入する際に、前記第２カード部材を前記第２装着部に案内するためのガイド部を形成したことを特徴とする請求項５記載のカード用コネクタ装置。
【請求項７】
前記第２カード部材は、前端部側の一方の角部近傍を切り欠きして切欠部を形成し、この切欠部に対応する位置の前記押圧部材に、前記切欠部に係合可能な突出部を形成したことを特徴とする請求項５、または６記載のカード用コネクタ装置。
【請求項８】
前記押圧部材を上方に付勢可能な付勢部を前記第１弾性部材に一体形成したことを特徴とする請求項５乃至７のいずれかに記載のカード用コネクタ装置。
【請求項９】
前記第１カード挿入口の外側に支持される前記第２カード案内部材の前記支軸は、一方側が前記カード挿入部上を覆う金属製のカバー部材によって回動自在に支持されていることを特徴とする請求項４乃至８のいずれかに記載のカード用コネクタ装置。
【発明の詳細な説明】
【０００１】
【発明の属する技術分野】
本発明はカード用コネクタ装置に係わり、特にパーソナルコンピュータ等の記憶媒体に用いられるＩＣカードや、デジタルカメラ等の電子機器に使用されるメモリーカード等に書き込み、または読み出し可能なカード用コネクタ装置に関する。
【０００２】
【従来の技術】
パーソナルコンピュータ（以後ＰＣと称する）やデジタルカメラ等の電子機器の増設記録装置として、内部にＩＣ（集積回路）を埋設したＩＣカードに、種々の情報の書き込み、あるいは読み出しを行うためにカード用コネクタ装置が一般的に用いられている。　このような従来のカード用コネクタ装置の記録媒体としてはＰＣカードやメモリーカード等の小型のカード部材が広く使用されるようになってきている。
【０００３】
このようなカード部材を装着可能なカード用コネクタ装置は、カード部材に対して必要な情報の書き込み、あるいは読み取りを行えるようになっているが、近年の小型のカード部材においては、厚さ寸法あるいは幅寸法が異なる種々のカード部材が販売されている。
これら種々のカード部材に対応してカード用コネクタ装置も多種類のものが開発されているが、このような従来のカード用コネクタ装置は、１種類のカード部材しか使用できなかった。
【０００４】
【特許文献】
特開２００２−７５５３４号公報
【０００５】
【発明が解決しようとする課題】
上述したような従来のカード用コネクタ装置は、寸法の異なるカード部材の種類に対応して、それぞれ異なる種類を準備しようとすると、カード用コネクタ装置を搭載する電子機器が大型化する問題があった。
この対策として、幅広で肉厚な第１カード部材を装着可能なカード装着部をカード用コネクタ装置に形成しておき、第１カード部材より幅狭で薄肉の第２カード部材を、幅寸法及び厚さ寸法が第１カード部材と同じに形成した補助部材（アダプタ）に仮止めし、この補助部材をカード装着部に装着可能なカード用コネクタ装置が提案されている。
【０００６】
しかし、このような２種類のカード部材が装着可能なカード用コネクタ装置は、第２カード部材を仮止めするための補助部材が必要になり、部品点数が増加する問題があった。また、第２カード部材を補助部材に仮止めしてからカード装着部に装着しなければならず、第２カード部材を装着するときの作業性が悪かった。
本発明は前述したような問題点に鑑みてなされたもので、厚さ及び幅寸法の異なる２種類のカード部材を、補助部材を使わなくともカード装着部に装着可能なカード用コネクタ装置を提供することを目的とする。
【０００７】
【課題を解決するための手段】
上記課題を解決するための第１の解決手段として本発明のカード用コネクタ装置は、幅広肉厚な第１カード部材と幅狭肉薄な第２カード部材を挿入可能なカード挿入部と、このカード挿入部から挿入した前記第１または第２カード部材を装着可能なカード装着部とを備え、
前記カード挿入部には、前記第１カード部材の一方の側縁部をガイド可能な第１ガイド壁を有する第１カード挿入口と、前記第１ガイド壁の一部を前記第１または第２カード部材の幅方向に延出して形成され前記第２カード部材の一方の側縁部をガイド可能な第２ガイド壁を有する第２カード挿入口とを設け、
前記第１カード挿入口を挟んで前記第１ガイド壁と対向する側には、前記第１カード挿入口の幅寸法を狭める方向に臨出可能な第２カード案内部材を配設し、前記第１カード部材を前記第１カード挿入口に挿入する際には、前記第２カード案内部材が待避して収納部に位置し、前記第２カード部材を前記第２カード挿入口に挿入する際には、前記第２カード案内部材が臨出して前記第２ガイド壁と共に前記第２カード部材の幅方向をガイドして前記カード装着部に案内するようにしたことを特徴とする。
【０００８】
また、上記課題を解決するための第２の解決手段として、前記第１カード挿入口には、前記第２カード挿入口に挿入する前記第２カード部材の裏面側を持ち上げて前記第２カード部材の高さ位置を規制可能な高さ規制部材を配設し、この高さ規制部材は、前記第１カード挿入口の底壁上に回動可能に支持されると共に前記第２カード案内部材を臨出状態に位置規制可能な規制部を形成し、前記第２カード案内部材は、前記第１カード挿入口に挿入する前記第１カード部材に押されて前記高さ規制部材が下方に回動することにより、前記第２カード案内部材に対する位置規制が解除されるようにしたことを特徴とする。
【０００９】
また、上記課題を解決するための第３の解決手段として、前記高さ規制部材と前記底壁との間には第１弾性部材を配設し、この第１弾性部材の付勢力で上方に回動した前記高さ規制部材は、前記規制部が臨出状態の前記第２カード案内部材に係合によって、所定の回動位置で回動が規制されるようにしたことを特徴とする。
【００１０】
また、上記課題を解決するための第４の解決手段として、前記第２カード案内部材は、一端部側に支軸を形成し、他端部側に前記第２カード部材の他方の側縁部をガイド可能な腕部を形成し、前記支軸を前記第１カード挿入口の外側に支持すると共に、前記腕部を第２弾性部材で付勢することにより、前記第２カード案内部材が臨出可能としたことを特徴とする。
【００１１】
また、上記課題を解決するための第５の解決手段として、前記第１カード部材は、前記第２カード部材より長く形成され、前記カード装着部には、前記第１カード部材を装着可能な第１装着部を奥側に、前記第２カード部材を装着可能な第２装着部を手前側に形成し、前記第１装着部には、前記第１カード部材の複数の接触部が接触可能な複数の第１端子部材を並設し、前記第２装着部には前記第２カード部材の接触部が接触可能な複数の第２端子部材を並設し、前記第１カード部材を挿入する際には、前記第１カード部材の前記接触部に接触しない位置まで前記第２端子部材を下方に撓ませる押圧部材を配設したことを特徴とする。
【００１２】
また、上記課題を解決するための第６の解決手段として、前記押圧部材には、前記第２カード部材を前記第２装着部に挿入する際に、前記第２カード部材を前記第２装着部に案内するためのガイド部を形成したことを特徴とする。
【００１３】
また、上記課題を解決するための第７の解決手段として、前記第２カード部材は、前端部側の一方の角部近傍を切り欠きして切欠部を形成し、この切欠部に対応する位置の前記押圧部材に、前記切欠部に係合可能な突出部を形成したことを特徴とする。
【００１４】
また、上記課題を解決するための第８の解決手段として、前記押圧部材を上方に付勢可能な付勢部を前記第１弾性部材に一体形成したことを特徴とする。
【００１５】
また、上記課題を解決するための第９の解決手段として、前記第１カード挿入口の外側に支持される前記第２カード案内部材の前記支軸は、一方側が前記カード挿入部上を覆う金属製のカバー部材によって回動自在に支持されていることを特徴とする。
【００１６】
【発明の実施の形態】
以下、本発明の実施の形態のカード用コネクタ装置を図１〜図６０に基づいて説明する。図１〜図３は本発明のカード用コネクタ装置の構成を説明する図であり、図４〜図１１は本発明に係わるハウジングを説明する図であり、図１２〜図１４は本発明に係わる第１端子部材を説明する図であり、図１５〜図１７は本発明に係わる第２端子部材を説明する図であり、図１８〜図２１は本発明に係わる押圧部材を説明する図であり、図２２〜図２３は本発明に係わる高さ規制部材を説明する図であり、図２４〜図２６は本発明に係わる第１弾性部材を説明する図であり、図２７〜図２９は本発明に係わる第２カード案内部材を説明する図であり、図３０、３１は本発明に係わる第２弾性部材を説明する図であり、図３２〜図３５は本発明に係わるスライダーを説明する図であり、図３６は本発明に係わる摺動部材を説明する図であり、図３７、３８は、本発明に係わる板バネを説明する図であり、図３９、４０は本発明に係わるカバー部材を説明する図であり、図４１は本発明に係わる第１カード部材を説明する図であり、図４２は本発明に係わる第２カード部材を説明する図であり、図４３〜図５１は本発明に係わる第１カード部材の装着動作を説明する図であり、図５２〜図６０は本発明に係わる第２カード部材の装着動作を説明する図である。
【００１７】
まず、本発明の１実施の形態のカード用コネクタ装置１は、樹脂材料等の絶縁材で形成されたハウジング２が、図１に示すように、外形が略矩形状に形成されて配設されている。このハウジング２は、図５に示すように、図示上部の奥側が凹み形成されて所定厚さの後部底壁２ａが設けられている。
この後部底壁２ａの図示上端部で最奥部に後側壁２ｂが形成され、この後側壁２ｂは図示右側が厚く形成され、図示左側が薄く形成されている。そして図示右側の後側壁２ｂのコーナ部から下方側に延びて右側壁２ｃが形成され、この右側壁２ｃと対向する図示左側の後側壁２ｂのコーナ部から下方に延びて左側壁２ｄが形成されている。
また、後部底壁２ａは、図示下方側である手前側に所定形状の開口部２ｅが形成されて一部が開放されている。
【００１８】
また、図７に示すように、左側壁２ｄの内側には、左側壁２ｄに沿って所定深さの第１ガイド溝２ｆが形成され、この第１ガイド溝２ｆの右隣に第１ガイド溝２ｆより浅い第２ガイド溝２ｇが形成され、この第２ガイド溝２ｇの右側にガイド壁２ｈが突出形成されている。
また、第１ガイド溝２ｆの図示下方には、図９、図１０に示すような、所定の幅寸法で略ハート型のカム溝３が形成されている。このカム溝３の中央部には、図８に示すような凸部３ａが突出形成され、この凸部３ａによってカム溝３が左右２本に別れて略ハート型に形成されている。
前記凸部３ａは、図９に示す上部側に、後述する摺動部材１５が当接可能なロック部３ｂが形成されている。
【００１９】
また、カム溝３には後述する摺動部材１５が弾接した状態で摺動可能な、高さの異なる複数の底面が形成されている。このカム溝３の底面は、図９、図１０に示すように、下方側に平坦状のＡ面が形成され、このＡ面と接する図示上部側で凸部３ａの左側には、Ａ面から除々に高くなる傾斜状のＢ面が形成されている。また、Ｂ面と接する図示上部側には、Ａ面より高さが高い平坦状のＣ面が形成され、このＣ面と接する図示上部側には、Ｃ面より高さが低い平坦状のＤ面が形成されている。
また、Ｄ面と接する図示下方右側で凸部３ａのロック部３ｂが形成された部分には、Ｄ面より高さが低い平坦状のＥ面が形成され、このＥ面と接する図示右側には、Ｅ面より高さが低い平坦状のＦ面が形成され、Ｄ面、Ｅ面、Ｆ面が階段状に順番に低くなっている。
【００２０】
また、Ｆ面と接する図示下方側で凸部３ａの右側には、Ｆ面から徐々に高くなる傾斜状のＧ面が形成され、Ｇ面と接する図示下方側には、Ｆ面より高さが高い平坦状のＨ面が形成され、このＨ面と接する図示下方側にＨ面より高さが低いＡ面が形成されている。
即ち、初期位置であるＡ面に後述する摺動部材１５を弾接させた状態で、図示下方側に常時付勢されている付勢力に抗して摺動部材１５を押圧して、図示上方側に移動させると、摺動部材１５は、傾斜状のＢ面を駆け昇って、Ｃ面からＤ面に位置する。
【００２１】
この状態で、摺動部材１５に加えていた押圧を解除すると、摺動部材１５は、Ｄ面からＥ面に移動して、ロック部３ｂに当接し、摺動部材１５の動きが規制されてロック可能になっている。
その後、再度摺動部材１５を、一旦図示上方側に押圧すると、摺動部材１５はＥ面を図示右方向に移動してＦ面に位置し、この状態で　摺動部材１５の押圧を解除すると、下方向への付勢力で、傾斜状のＧ面を駆け昇ってＨ面に位置し、このＨ面から初期位置であるＡ面に位置するようになっている。
【００２２】
また、ハウジング２の後部底壁２ａには、端子ガイド部４が形成されている。この端子ガイド部４は、後述する第１端子部材７を挿入可能な複数の幅狭で縦長な端子挿入孔４ａが、図１１に示すように、後側壁２ｂの一部を含む後部底壁２ａに所定の幅と長さで貫通形成されている。
また、図１１に示す端子ガイド部４は、端子挿通孔４ａの図示下端部に、鈎状の端子支持部４ｂが所定高さに突出形成されている。また、図１１に示す後側壁２ｂの端子挿入孔４ａの上端部には、幅狭の端子支持溝４ｃが形成されている。また、図５に示す縦長状の複数の端子挿入孔４ａに挟まれた間には、樹脂材料が充填されて後述する第２端子部材８を埋設可能な桟部４ｄが形成されている。
【００２３】
また、ハウジング２は、前方側である開口部２ｅの図示下部側に、後部底壁２ａと底面を一にして、後部底壁２ａよりも厚さが薄い前部底壁２ｊが形成されている。また、図５に示す前部底壁２ｊの右側には、後述する第２カード部材２０の幅方向をガイド可能な第２カード案内部材１２を支持可能なガイド支持部５が右側壁２ｃより図示右側に所定量出っ張って形成されている。
また、ガイド支持部５は、右側壁２ｃの図示下方端部と交わる部分より下方側に、アール状のガイド部５ａが形成されている。
このガイド部５ａによって、挿入される後述する第１カード部材１９をハウジング２内部に案内可能になっている。
【００２４】
また、ガイド支持部５は、右側壁２ｃより外側にＬ字状の側壁５ｂが形成され、この側壁５ｂの内側に幅狭のＬ字状の溝からなる板バネガイド溝５ｃ形成されている。また、板バネガイド溝５ｃが形成された図示下方側には、待避した後述する第２カード案内部材１２を収納可能な収納部５ｄが形成され、この収納部５ｄは側壁５ｂが所定高さで削除されて右側が開放されている。
また、第１カードガイド部５ａの図示下方側には、後述する押圧部材９を回動自在に支持可能な第１支持部５ｅが形成され、収納部５ｄの図示下方側には、後述する高さ規制部材１０の支軸１０ｃを回動自在に支持可能な第２支持部５ｆが形成されている。
【００２５】
また、図５に示すハウジング２の下端部には、左右の側壁２ｃ、２ｄより若干高く形成された前側壁６が形成され、この前側壁６の略中央部が切り欠きされて底面６ａを有するカード挿入部６ｂが形成されている。
このカード挿入部６ｂは、図６に示すように、左側の前側壁６が階段状に形成されて、図示下方側に後述する第１カード部材１９の一方の側縁部１９ｄをガイド可能な第１ガイド壁６ｃを有する第１カード部材１９を挿入可能な第１カード挿入口（図示せず）が形成されている。
また、第１ガイド壁６ｃの上部に後述する第１または第２カード部材１９、２０の幅方向である図示左側に延出させて、第２カード部材２０の一方の側縁部２０ｄをガイド可能な第２ガイド壁６ｄ有する第２カード部材２０を挿入可能な第２カード挿入口（図示せず）が階段状に形成されている。
【００２６】
また、図５に示す第１ガイド面６ｃには、開口部２ｅの下端部近傍に後述する押圧部材９の支軸９ｆを支持可能な第１支持孔６ｅが所定深さで形成され、手前側の底面６ａ近傍に後述する高さ規制部材１０を支持可能な第２支持孔６ｆが所定深さで形成されている。
また、それぞれの側壁２ｂ、２ｃ、２ｄ、５ｂには、後述するカバー部材１７をスナップ係合するための複数のスナップ突起２ｋが形成されている。
また、ハウジング２の前部底壁２ｊには、後述する第１弾性部材１１を取り付けるための一対の取付突起２ｍ、２ｍが突出形成されている。
また、図５に示す前側壁６の右側のコーナ部の内側には、後述する第２カード案内部材１２の支軸１２ｄを、後述するカバー部材１７と共に支持可能なＬ字状の支持部６ｇが形成されている。
【００２７】
また、ハウジング２の端子ガイド部４の端子挿入孔４ａには、金属板からなる複数の第１端子部材７が挿入されて等間隔に並列されている。
前記第１端子部材７は、図１３、図１４に示すように、上部側にはハウジング２の後側壁２ｂから外部に引き出される端子部７ａが形成されている。また、端子部７ａを所定値から略直角に折り曲げて、端子部７ａより幅広の図１２に示すような、支持部７ａが形成され、この支持部７ｂから略直角に下方に折り曲げて腕部７ｃが延長形成されている。
この腕部７ｃの図示下方の先端部７ｄ寄りには、湾曲状に膨らませた接点部７ｅが形成されている。
【００２８】
このような第１端子部材７は、ハウジング２の端子ガイド部４に組み付けるまでは、２点鎖線で示すような金属板７ｆに接続されてそれぞれが一体化されている。
そして、金属板７ｆに接続された第１端子部材７は、ハウジング２の端子挿通孔４ａに腕部７ｃ、接点部７ｅを挿入すると共に支持部７ｂを端子支持溝４ｃに圧入すると、図２に示すように、端子部７ａがハウジング２の後側壁２ｂから外部に引き出され、先端部７ｄが鈎状の端子支持部４ｂに弾接してハウジング２に組み付けされる。
このハウジング２に組付け後の第１端子部材７は、金属板７ｆの接続部分を切断治具等で切断することで、ハウジング２にそれぞれが分離された状態で組み付けすることができる。
【００２９】
また、ハウジング２の後部側壁２ａには金属板からなる複数の第２端子部材８が埋設されている。この第２端子部材８は、図１に示すように、複数の第１端子部材７の第１端子部７ａ間の桟部４ｄに埋設されると共に、開口部２ｅ内に露出して延長形成されている。
前記第２端子部材８は、図１５〜図１７に示すように、上端部側に幅狭の端子部８ａが形成され、上端部から所定寸法図示下方位置で端子部８ａを階段状に折り曲げて端子部８ａと同じ幅狭の第１埋設部８ｂが延長形成されている。
また、第１埋設部８ｂの下部には図示左斜め下方に延びる第２埋設部８ｃが形成され、この第２埋設部８ｃから下方に延長して腕部８ｄが形成されている。
この腕部８ｄは、第１埋設部８ｂより幅広に形成され、図示下方の先端部８ｅ側には、円弧状に湾曲させた接点部８ｆが形成されている。
前記腕部８ｄは、図２に示すように、開口部２ｅから露出した部分から斜め上方に折り曲げされ、接点部８ｆ及び先端部８ｅが開口部２ｅから所定量持ち上がった状態になっている。
【００３０】
前記ハウジング２に埋設する前の複数の第２端子部材８は、第１端子部材７と同様に２点鎖線で示すような金属板８ｇに接続されて一体化されている。
このような金属板８ｇに接続された第２端子部材８は、第１埋設部８ｂがハウジング２に形成した複数の桟部４ｄにインサート成型等で埋設されている。　　また、第２埋設部８ｃは、図１に示すように、後部底壁２ａに埋設され、腕部８ｄが開口部２ｅ内に延長形成されている。
そして、開口部２ｅ内に延長形成された第２端子部材８の複数の先端部８ｅは、図２に示すように、押圧部材９にそれぞれが支持されて、隣り合う第２端子部材８同士が接触するのを防止している。
【００３１】
前記押圧部材９を図１８〜図２１に基づいて説明すると、押圧部材９は樹脂材料等で形成され、平面視の形状が略矩形状になっている。
そして、押圧部材９は、表面の第１平面９ａと第２平面９ｂとが略くの字状に折れ曲がって形成され、この第１平面９ａと第２平面９ｂとが段差部９ｃで連結されている。また、図１８に示す第２平面９ｂの右端部には角柱状のガイド部９ｄが第２平面９ｂより上方に延長形成され、第２平面９ｂの左端部上部には、ガイド部９ｄと同じ高さで突出部９ｅが形成されている。
【００３２】
また、第１平面９ａの図示左右の下端部から外方に突出する円柱状の支軸９ｆ、９ｆが形成されている。また、押圧部材９の裏面９ｇは平坦状に形成され、この裏面９ｇの上端部側には、図２１に示すように、第２端子部材８の先端部８ｅの動きを規制可能な複数のガイド溝９ｈが、複数の第２端子部材８と同じピッチ寸法で形成されている。
また、ガイド溝９ｈを形成した部分の第２平面９ｂ側には、ガイド溝９ｈの数に対応して複数の肉盛り部９ｊが形成されている。
このような押圧部材９は、図示左側の一方の支軸９ｆがハウジング２の第１ガイド壁６ｃの支持孔６ｅに支持され、図示右側の他方の支軸９ｆが第１支持部５ｅに支持されて、開口部２ｅ内を回動自在になっている。
また、押圧部材９は、第２端子部材８及び後述する第１弾性部材１１の弾性力で、ハウジング２のそれぞれの底壁２ａ、２ｊと平行な線Ｋに対して、所定の角度上方に回動した状態でハウジング２に支持されるようになっている。
【００３３】
また、図１に示す押圧部材９の下方側には、図２２、２３に示すような、高さ規制部材１０が配設されている。この高さ規制部材１０は、樹脂材料からなり、板状のカード摺接部１０ａが矩形状に形成され、このカード摺接部１０ａの図示右側上部のコーナ部には、略４５°に傾斜した規制部１０ｂが所定の幅と深さで設けられている。
また、カード摺接部１０ａの図示下端部の左右からは、外向きに円柱状の支軸１０ｃ、１０ｃが突出形成されている。
【００３４】
このような高さ規制部材１０は、図示左側の一方の支軸１０ｃがハウジング２の第１ガイド壁６ｃの第２支持孔６ｅに支持され、図示右側の他方の支軸１０ｃが第２支持部５ｆに支持されて、カード摺接部１０ａが前部底壁２ｊ上を回動自在になっている。
また、高さ規制部材１０は、後述する第１弾性部材１１の付勢力で、図２３Ｂに示すように、支軸１０ｃを支点として上方に回動可能になっている。
【００３５】
また、ハウジング２に回動自在に支持された高さ規制部材１０と前部底壁２ｊとの間には、高さ規制部材１０ａを上方に付勢するための板バネからなる第１弾性部材１１が配設されている。
前記第１弾性部材１１を図２４〜図２６に基づいて説明すると、第１弾性部材１１は、図２４に示すように、横長状の基部１１ａを有し、この基部１１ａの左右両端部側には、ハウジング２の取付突起２ｍに嵌合可能な一対の取付孔１１ｂが形成されている。
【００３６】
また、基部１１ａの略中央部から上方側に、所定寸法突出する突部１１ｃが形成され、この突部１１ｃの根元部分から左右斜め上方に延長する一対の第１アーム部１１ｄ、１１ｄが形成されている。
また、基部１１ａの右側端部からは、基部１１ａと直交する図示上方側に延長して第２アーム部１１ｅが形成されている。
そして、第１アーム部１１ｄは、図２６に示すように、突部１１ｃの根元部分から角度αで上方に折り曲げられ、第２アーム部１１ｅは、基部１１ａから所定寸法上方の位置で、図２５に示すように、角度βで上方に折り曲げられている。
【００３７】
このような第１弾性部材１１は、ハウジング２の前部底壁２ｊに形成した取付突起２ｍに取付孔１１ｂを嵌合させて、取付突起２ｍをカシメ付けることにより、ハウジング２に一体化されて取り付けられている。
そして、図２に示すように、第１弾性部材１１の第２アーム部１１ｅ上に押圧部材９のガイド部９ｄが載置されて、押圧部材８が上方側に弾性付勢されて回動可能になっている。即ち、押圧部材９を上方に付勢可能な付勢部である第２アーム部１１ｅが第１弾性部材１１に一体形成されている。
また、第１弾性部材１１の一対の第１アーム部１１ｄ上にカード摺接部１０ａが載置されて、高さ規制部材１０が上方側に弾性付勢されて回動可能になっている。
【００３８】
また、ハウジング２には、図６に示すように、後述する第１カード部材１９をを挿入可能な第１カード挿入口（図示せず）を挟んで第１ガイド壁６ｃと対向する側のガイド支持部５の収納部５ｄには、第１カード挿入口の幅寸法Ｓを狭める方向に臨出可能な第２カード案内部材１２が回動自在に支持されている。この第２カード案内部材１２を図２７〜図２９に基づいて説明すると、第２カード案内部材１２は、樹脂材料からなり、図２７に示すように、上面視の形状が逆くの字状に形成され、基部１２ａと、この基部１２ａから左斜め上方に延長して腕部１２ｂとが形成され、この腕部１２ｂの先端部に基部１２ａと平行なガイド面１２ｃが平坦状に形成されている。
また、図２８に示す基部１２ａの下端部の左右から外方に円柱状の支軸１２ｄ、１２ｄが突出形成されている。また、第２カード案内部材１２は、基部１２ａ及び腕部１２ｂの一方の面１２ｅが平坦状に形成され、基部１２ａの他方の面は平坦状の第１平面１２ｆが形成されている。
また、腕部１２ｂの他方の面は、第１平面１２ｆに接続された傾斜面１２ｈと平坦状の第２平面１２ｇとが形成され、第２平面１２ｇは、第１平面１２ｆより低くなっている。
【００３９】
このような第２カード案内部材１２は、図２９に示す下方の支軸１２ｄがハウジング２のＬ字状の支持部６ｇに支持され、上方の支軸１２ｄが支持部６ｇと後述するカバー部材１７とに支持されて、回動自在になっている。
そして、第２カード案内部材１２は、第１弾性部材１１を取り付けたハウジング２に組み付け後、高さ規制部材１０をガイド支持部５に支持するとにより、第１弾性部材１１で上方に付勢された高さ規制部材１０の規制部１０ｂに保持されて、動きが規制されるようになっている。
【００４０】
また、第２カード案内部材１２は、図２７に示す基部１２ａの右側面を第２弾性部材１３に弾性付勢されて、支軸１２ｄを支点として反時計回り方向に回動可能になっている。
前記第２弾性部材１３は、図３０、３１に示すように、所定厚さの１枚の板バネからなり、略Ｌ字状に折り曲げ形成された基部１３ａと、この基部１３ａから図示下方側に延びる第１腕部１３ｂと、基部１３ａから第１腕部１３ｂと同方向に延びる第１腕部１３ｂより幅広で長さが短い第２腕部１３ｃとがスリット溝１３ｄで分離されている。
【００４１】
また、第１腕部１３の先端部には、第２カード案内部材１２の基部１２ａの右側面に弾接可能な付勢部１３ｅが形成され、第２腕部１３ｃは、下部を左側に折り曲げて、押圧部材９の他方の支軸９ｆを下方に押しつけてハウジング２に支持可能な支持部１３ｆが形成されている。
このような第２弾性部材１３は、ハウジング２に押圧部材９、高さ規制部材１０、カード案内部材１２を組み付けた状態で、基部１３ａをハウジング２の板バネガイド溝５ｃに挿入すると、付勢部１３ｅが片持ち梁状となって、第２カード案内部材１２の基部１２ａを付勢するようになっている。
このことにより、第２カード案内部材１２が反時計回り方向に付勢されて、第２カード案内部材１２が高さ規制部材１０の規制部１０ｂに位置して、第２カード案内部材１２の動きを規制することができる。
このように動きが規制された第２カード案内部材１２のガイド面１２ｃと、第２ガイド壁６ｄとによって、後述する第２カード部材２０をハウジング２内部のカード装着部に挿入可能な第２挿入口が形成されている。
【００４２】
また、図５に示すハウジング２の左側壁２ｄ側に形成された第１ガイド溝２ｆには、樹脂材料からなるスライダー１４が図示上下方向にスライド可能に配設されている。
前記スライダー１４を図３２〜図３５に基づいて説明すると、スライダー１４は、樹脂材料からなり、図３３に示すように、上下方向に延びる断面が角柱状の基部１４ａを有し、この基部１４ａの上端部からは、右方向に向けて後述する第１カード部材１９の前端部１９ａ側が当接可能な第１当接部１４ｂが突出形成されている。
前記第１当接部１４ｂが突出する根元部分の基部１４ａには、幅狭の角孔１４ｃが貫通形成されている。また、図３３に示す基部１４ａの下端部側には、所定深さで彫り込み形成された線バネ支持部１４ｄが形成され、この線バネ支持部１４ｄには、後述する線バネからなる摺動部材１５を回動自在に支持可能な支持孔１４ｅが貫通形成されている。
【００４３】
また、線バネ支持部１４ｄの図示右側には、所定深さと幅寸法のスリット状の板バネ支持溝１４ｆが形成され、この板バネ支持溝１４ｆを挟んで、後述する第２カード部材２０の裏面２０ｂに形成した当接部２０ｇが当接可能な第２当接部１４ｇが図示下方側に突出形成されている。
また、基部１４ａの線バネ支持部１４ｄを形成した部分の裏面側には、所定高さのガイド突起１４ｊが突出形成されている。
このガイド突起１４ｊには、後述するコイルバネからなる付勢部材１８の端部が当接可能なバネ当接面１４ｋが形成されて、スライダー１４を常時一方向に弾性付勢するようになっている。
【００４４】
また、第２当接部１４ｇが形成された部分の裏面１４ｍは、図３５に示すように階段状に形成され、この階段状の第２当接部１４ｇの裏面１４ｍから基部１４ａの側面までが寸法Ｐで形成されている。
また、図３３に示す基部１４ａの右側面には、所定寸法の切り込み部１４ｎが形成されている。また、図３３に示す第２当接部１４ｇの右側面が、後述する第１カード部材１９の一方の側縁部１９ｄを摺動ガイド可能なガイド面１４ｐとなっている。
即ち、ガイド面１４ｐに沿って挿入される後述する第１カード部材１９は、第１当接部１４ｂより図示左側に位置ズレして形成されいる第２当接部１４ｇにぶつからないようになっている。
このようなスライダー１４は、ガイド突起１４ｊが第１ガイド溝２ｆに位置し、裏面１４ｍが第２ガイド溝２ｇに位置し、寸法Ｐの部分が、ハウジング２の左側壁２ｄとガイド壁２ｈとにガイドされて、左側壁２ｄに沿ってスライド移動可能になっている。
【００４５】
また、スライダー１４の支持孔１４ｅには、ピアノ線等の線バネからなる摺動部材１５が支持されている。この摺動部材１５は、線バネからなる縦長状の基部１５ａの両端部を直角状に同方向に折り曲げて、一端部１５ｂと他端部１５ｃとが形成されている。
そして、一端部１５ｂをスライダー１４の支持孔１４ｅに支持し、他端部１５ｃをハウジング２のカム溝３に位置させて、後述する板バネ１６で摺動部材１５を上方から弾性付勢した状態で、スライダー１４を上下方向にスライドさせると、他端部１５ｃがカム溝３の底面に沿って巡回摺動するようになっている。このような摺動部材１５と、ハウジング２に形成したカム溝３とによって、スライダー１４の動きを規制可能なカム機構が構成されている。
【００４６】
また、スライダー１４の基部１４ａ上には、図３７、３８に示すように折り曲げ形成した板バネ１６が取り付けられている。この板バネ１６は、ステンレス板等の弾性を有する１枚の金属板からなり、スライダー１４の基部１４ａ上に載置可能な平坦状の載置部１６ａと、この載置部１６ａの図示上端部側を直角状に一方側に折り曲げて、スライダー１４の角孔１４ｃに嵌合可能な突起部１６ｂとが形成されている。
また、載置部１６ａの下方側には、スライダー１４の支持孔１４ｅに支持した摺動部材１５をカム溝３の底面に弾性付勢するための、舌片状の線バネ付勢部１６ｃが延長形成されている。
【００４７】
また、載置部１６ａの上端部には、載置部１６ａと直交する方向に折り曲げられて上部延出部１６ｄが形成され、この上部延出部１６ｄから図示下方側に延長して縦長状の第１腕部１６ｅが形成されている。
この第１腕部１６ｅの下端部寄りが鈎状に折り曲げられて、後述する第１カード部材１９の第１凹部１９ｅが弾性係合可能な第１係合部１６ｆが形成されている。また、線バネ付勢部１６ｃの右隣には、載置部１６ａから下方側に延びる下部延出部１６ｇが形成され、この下部延出部１６ｇを第１腕部１６ｅと同方向に直角状に折り曲げて、線バネ付勢部１６ｃよりも下方側に長い第２腕部１６ｈが形成されている。
【００４８】
そして、第２腕部１６ｈの下端部寄りが第１係合部１６ｆと略同形状の鈎状に折り曲げられて、後述する第２カード部材２０の第２凹部２０ｅが弾性係合可能な第２係合部１６ｊが形成されている。
前記第２係合部１６ｊは、図３８に示すように、第１係合部１６ｆから寸法Ｒ図示左側に位置ズレして形成されている。そのために、ハウジング２内部に挿入した後述する第１カード部材１９の一方の側縁部１９ｄが、第２係合部１６ｊに当接することがない。
【００４９】
また、ハウジング２の上方には、ハウジング２の上方を遮蔽するカバー部材１７が配設されている。このカバー部材１７は、隣青銅板等の弾性を有する金属板からなり、図３９、４０に示すように、ハウジング２の大きさと略同じ大きさで平坦状の遮蔽部１７ａが形成され、この遮蔽部１７ａの左右を互いに対向する方向に直角に折り曲げて側板１７ｂ、１７ｂを形成し、この側板には、ハウジング２の複数のスナップ突起２ｋがスナップ係合可能な複数の角孔１７ｃが形成されている。
また、カバー部材１７の遮蔽部１７ａは、図示上部の奥側を側板１７ｂと同方向に折り曲げて奥側板１７ｄが形成され、図示下部の前方側が斜め上方に折り曲げられて、ハウジング２内部に挿入される後述する第１または第２カード部材１９、２０の上面側をガイド可能なカードガイド部１７ｅが形成されている。
【００５０】
また、平坦状の遮蔽部１７ａには、図示上下方向に縦長状の２本の第１リブ１７ｆが形成されている。
また、２本の第１リブ１７ｆに挟まれた部分には、２本の第１リブ１７ｆと直交する横方向に２本の第２リブ１７ｇが形成れている。前記２本の第１リブ１７ｆによって、ハウジング２内部に挿入される後述する第１または第２カード部材１９、２０の遮蔽部１７ａとの接触面積を小さくして挿入抵抗を小さくするようになっている。
また、第２リブ１７ｇによって、第１または第２カード部材１９、２０、と第１、第２端子部材７、８との接触を確実にするようになっている。
また、カードガイド部１７ｅの図示右側の切り欠き部１７ｈとハウジング２のＬ字状の前部壁６のコーナ部とで、第２カード案内部材１２の一方の支軸１２ｄを回動支持可能になっている。また、左右の側板１７ｂからは、それぞれ２個の半田付け脚１７ｊが突出形成されている。
【００５１】
前記ハウジング２の上方を遮蔽するカバー部材１７によって、図２に示すように、下方側の前側壁６の底面６ａ上に形成したカード挿入部６ｂの上方が遮蔽されると共に、内部にカード装着部（図示せず）が形成されて、後述する第１、第２カード部材１９、２０が装着可能になっている。
前記カード装着部は、後述する第１カード部材１９を装着可能な第１装着部（図示せず）と、後述する第２カード部材２０を装着可能な第２装着部（図示せず）とからなっている。
また、ハウジング２の上方を遮蔽するカバー部材１７によって、板バネ１６を支持したスライダー１４が、図３に示すように、図示上下方向にスライド可能になっている。
この時のスライダー１４は、第１ガイド溝２ｆに位置させたコイルバネからなる付勢部材１８がガイド突起１４ｊに弾接して、図示下方のカード挿入部６ｂ方向に常時弾性付勢されている。
また、同時に板バネ１６がカバー部材１７に摺接することにより、板バネ１６の線バネ付勢部１６ｃが摺動部材１５を、常時下方側に弾性付勢するようになっている。
【００５２】
また、カード装着部の第１装着に装着される第１カード部材１９は、図４１に示すように、後述する第２カード部材２０より幅広肉厚に形成され、長さも第２カード部材２０より長く形成されている。
このような第１カード部材１９は、前端部１９ａ側の裏面１９ｂに第１端子部材７の接点部７ｅに接触可能な複数の接触部１９ｃが露出して整列形成されている。また、図４１Ｃの左側の一方の側縁部１９ｄの前端部１９ａ寄りには、スライダー１４に取り付けられた板バネ１６の第１係合部１６ｆに係合可能な第１凹部１９ｅが所定深さと幅寸法で形成されている。
また、前端部１９ａの一方のコーナ部１９ｆが斜めに面取り状にカットされて、前端部１９ａが非対称に形成されている。そのために、第１カード部材１９をカード装着部に挿入するときの逆挿入を防止するようになっている。
また、一方の側縁部１９ｄと対向する側に他方の側縁部１９ｇが形成されている。
【００５３】
また、カード装着部の第２装着に装着される第２カード部材２０は、図４２に示すように、第１カード部材１９より幅狭肉薄に形成され、長さが第１カード部材２０より短く形成されている。
このような第２カード部材２０は、前端部２０ａ側の裏面２０ｂに第２端子部材８の接点部８ｆが接触可能な複数の接触部２０ｃが露出して整列形成されている。また、図４２Ｃの左側の一方の側縁部２０ｄの前端部２０ａ寄りには、スライダー１４に取り付けた板バネ１６の第２係合部１６ｊに係合可能な第２凹部２０ｅが所定深さと幅寸法で形成されている。
【００５４】
また、前端部２０ａの一方の角部２０ｆが斜めに面取り状にカットされて、前端部２０ａが非対称になっていると共に、角部２０ｆの裏面２０ｂ側の所定の幅と深さで切り欠きして切欠部２０ｊを形成し、この切欠部２０ｊに押圧部材９の突出部９ｅが係合可能になっている。
即ち、切欠部２０ｊに対応する位置の押圧部材９に、切欠部２０ｊに係合可能な突出部９ｅが形成されているので、第２カード部材２０をカード装着部に挿入するときの逆挿入を防止するようになっている。
また、一方のコーナ部２０ｆと一方の側縁部２０ｄとが交わる部分の裏面２０ｂ側には、スライダー１４の第２当接部１４ｇに当接可能な当接部２０ｇが形成されている。また、一方の側縁部２０ｄと対向する側に他方の側縁部２０ｈが形成されている。
【００５５】
このような構成の本発明のカード用コネクタ装置１は、図２に示すように、押圧部材９が第１弾性部材１１の第２アーム部１１ｅの付勢力と第２端子部材８の付勢力とでカバー部材１７側の上方に回動している。
また、高さ規制部材１０は、第１弾性部材１０の第１アーム部１１ｄの付勢力でカバー部材１７側に回動している。
また、第２カード案内部材１２は、図１に示すように、第２弾性部材１３に弾性付勢されて、腕部１２ｂが高さ規制部材１０の規制部１０ｂに位置した初期位置で動きが規制されている。
また、本発明のカード用コネクタ装置１におけるスライダー１４は、コイルバネからなる付勢部材１８の付勢力で、ガイド突起１４ｊが図３に示すように、ハウジング２の第１ガイド溝２ｆの前端部に当接した初期位置で停止している。
【００５６】
前述したような本発明のカード用コネクタ装置１に、第１カード部材１９を装着する動作を図４３〜図５１に基づいて説明すると、まず、第１カード部材１９の前端部１９ａをカード挿入部６ｂに挿入する。
この時の第１カード部材１９は、一方の側縁部１９ｄがハウジング２の第１ガイド壁６ｃに案内され、他方の側縁部１９ｇが図示上方の前側壁６に案内されて幅方向がガイドされている。
そして、カード挿入部６ｂから挿入する第１カード部材１９は、裏面１９ｂが底面６ａ上に位置し、上面がカバー部材１７の２本の第１リブ１７ｆに摺接しながら矢印方向のハウジング２内部のカード装着部方向に挿入される。
【００５７】
この挿入に伴って、厚さが厚肉に形成された第１カード部材１９の前端部１９ａに押圧された高さ規制部材１０が、図４４に示すように、第１弾性部材１１の付勢力に抗して下方に回動して略水平状態となる。このことにより、高さ規制部材１０の規制部１０ｂに位置して動きが規制されていた第２カード案内部材１２が、規制部１０ｂから外れる。
すると、第２カード案内部材１２は、第１カード部材１９の他方の側縁部１９ｇで腕部１２ｂが押される。そして、第２弾性部材１２の付勢力に抗して支軸１２ｂを支点として時計回り方向に回動し、図４３に示すように、ハウジング２に形成した収納部５ｄに腕部１２ｂが位置する。
即ち、第１カード部材１９を第１カード挿入口に挿入する際には、第２カード案内部材１２が収納部５ｄに待避して位置するようになっている。
また、挿入される第１カード部材１９の一方の側縁部１９ｄが、板バネ１６の第１係合部１６ｆを押圧すると、第１係合部１６ｆは、第１腕部１６ｅが弾性変形してスライダー１４の切り欠き部１４ｎに逃げる。
この時、板バネ１６の第２係合部１６ｊは、第１係合部１６ｆより図示下方側に位置ズレしているので、第１ガイド壁６ｃにガイドされて挿入される第１カード部材１９の一方の側縁部１９ｄに接することがない。そのために、第１カード部材１９の挿入をスムーズに行うことができる。
【００５８】
この状態で、第１カード部材１９を更に矢印方向に挿入すると、図４５、４６に示すように、第１カード部材１９の裏面１９ｂが、押圧部材９の左右のガイド部９ｄ及び突出部９ｅを下方に押し下げる。
このことにより、押圧部材９が第２端子部材８及び第１弾性部材１１の付勢力に抗して下方に回動して、略水平状態となる。そのために、押圧部材９に先端部８ｅが支持された第２端子部材８が第１カード部材１９の接触部１９ｃに接触することはない。
即ち、押圧部材９の回動によって、第１カード部材１９の接触部１９ｃが接触しない位置まで第２端子部材８を下方に撓ませるようになっている。
【００５９】
また、一方の側縁部１９ｄに押されて弾性変形していた板バネ１６の第１係合部１６ｆは、第１カード部材１９の前端部１９ａが、初期位置にあるスライダー１４の第１当接部１４ｂに当接すると、第１凹部１９ｅに係合して、第１カード部材１９が抜け止めされる。この状態でから、第１カード部材１９をハウジング２の奥側に更に挿入すると、スライダー１４の前端部１９ａが、ハウジング２の後側壁２ｂに当接し、第１カード部材１９の矢印方向への移動が停止する。
【００６０】
この時の摺動部材１５は、図９、１０に示すカム溝３の底面に形成したＡ面からＢ面及びＣ面を経由してＤ面に位置している。
そして、第１カード部材１９の移動が停止後、第１カード部材１９に加えていた押圧力を解除すると、コイルバネからなる付勢部材１８の付勢力で、スライダー１４がカード挿入部６ｂ方向に戻ろうとするが、この時の摺動部材１５は、Ｄ面からＥ面に移動してロック部３ｂに当接する。
そのために、スライダー１４の動きが規制されてロックされ、図４７、４８に示すように、第１カード部材１９は、カード装着部の第１装着部に装着された装着状態となると共に、第１凹部１９ｅに第１係合部１６ｆが係合しているので第１装着部から抜け止めされる。
前記第１カード部材１９が装着状態となると、複数の第１端子部材７の接点部７ｅが、第１カード部材１９の複数の接触部１９ｃに接触して導通する。
【００６１】
次に、第１装着部に装着した第１カード部材１９を取り出すには、図４７に示す装着状態の第１カード部材１９を、一旦矢印方向に押圧して、図４９に示すように、前端部１９ａを後側壁２ｂに当接させる。すると、ロック部３ｂに位置していた摺動部材１５が、図９、１０に示すＥ面からＦ面に移動して、スライダー１４のロックが解除される。
そして、矢印方向に加えていた押圧力を解除すると、付勢部材１８の付勢力でスライダー１４が自動的にカード挿入部６ｂ方向に移動する。このスラーダー１４の移動で第１カード部材１９の前端部１９ａが第１当接部１４ｂに押されて、カード装着部から排出される。
そして、図４５に示すように、スライダー１４が初期位置まで自動復帰すると、ハウジング２の外部に出ている第１カード部材１９の後端部側を把持して引き抜くことにより、板バネ１６の第１係合部１６ｆが弾性変形して第１凹部１９ｅから外れ、ハウジング２から第１カード部材１９を取り出すことができる。
【００６２】
また、カード装着部の第１装着部に装着した第１カード部材１９は、図５０に示すように、カバー部材１７の２本の第１リブ１７ｆ及び第２リブ１７ｇが上面に摺接するようになっているので、第１カード部材１９とカバー部材１７と接触面積を小さくして、着脱時の第１カード部材１９とカバー部材１７との摺動摩擦を小さくすることができる。
また、第１カード部材１９を第１カード挿入口に挿入する際には、図５１に示すように、第２カード案内部材１２が第１カード部材１９に押されて第１カード挿入口の外側に位置しているので、正面からは見えないようになっている。
同時に、高さ規制部材１０も、挿入される第１カード部材１９に押されて、図５１に示すように、正面からは見えないようになっている。
【００６３】
また、本発明のカード用コネクタ装置１に第２カード部材２０を装着する動作を図５２〜図６０に基づいて説明すると、まず、図５２、５３に示すように、第２カード部材２０の前端部２０ａをカード挿入部６ｂに挿入する。
前記第２カード部材２０は、厚さが第１カード部材１９より薄肉に形成されているので、第２カード部材２０の裏面２０ｂが、斜め上方に回動した状態の高さ規制部材１０に摺動しながら挿入される。
この時の高さ規制部材１０は、斜め上方に回動して状態となっているので、規制部１０ｂには、第２カード案内部材１２が位置して動きが規制されている。
【００６４】
そのために、挿入される第２カード部材２０の幅方向は、一方の側縁部２０ｄが第１ガイド壁６ｃより図示下方側に位置ズレしている第２ガイド壁６ｄに案内され、他方の側縁部２０ｈが規制部１０ｂで動きが規制された第２カード案内部材１２のガイド面１２ｃに案内される。
そのために、第２カード部材２０の幅方向をガタなく高精度にガイドして挿入することができる。
そして、図５４、５５に示すように、初期位置にあるスライダー１４の第２当接部１４ｇに第２カード部材２０の当接部２０ｇが当接すると、同時に第２凹部２０ｅに板バネ１６の第２係合部１６ｊが係合して、第２カード部材２０が抜け止めされる。
更に、図５４、５５に示す状態から、第２カード部材２０を矢印方向に押圧して挿入すると、第２カード部材２０は、前端部２０ａ寄りの他方の側縁部２ｈが押圧部材９のガイド部９ｄにガイドされる。
【００６５】
また、第２カード部材２０の当接部２０ｇがスライダー１４の第２当接部１４ｇに当接した状態で、第２カード部材２０を更に挿入する動作で、スライダー１４が押されて奥側にスライドし、第１当接部１４ｂを形成した部分のスライダー１４の外面がハウジング２の後側壁２ｂに当接して、第２カード部材２０の矢印方向の移動が停止する。
この時の摺動部材１５は、図９、１０に示すカム溝３のＡ面からＢ面及びＣ面を経由してＤ面に位置している。
そして、第２カード部材２０の移動が停止後、第２カード部材２０に加えていた押圧力を解除すると、付勢部材１８の付勢力で、スライダー１４がカード挿入部６ｂ方向に戻ろうとするが、この時の摺動部材１５は、Ｄ面からＥ面に移動してロック部３ｂに当接しスライダー１４の移動がストップする。
【００６６】
そのために、スライダー１４の動きが規制され、図５６、５７に示すように、第２カード部材２０は、第２装着部に装着されて装着状態となると共に、第２凹部２０ｅに第２係合部１６ｊが係合しているので第２装着部から抜け止めされる。
前記第２カード部材２０が第２装着部に装着されて抜け止めされると、複数の第２端子部材８の接点部８ｆが、第２カード部材２０の複数の接触部２０ｃに接触して導通する。
【００６７】
このような第２装着部に装着状態の第２カード部材２０を取り出すには、図５６に示す装着状態の第２カード部材２０を、一旦矢印方向に押圧して、図５８に示すように、スライド部材１４の第１当接部１４ｂの外面を後側壁２ｂ側に押圧する。
すると、ロック部３ｂに位置していた摺動部材１５が、図９、１０に示すＥ面からＦ面に移動して、スライダー１４のロックが解除される。
【００６８】
この状態で、第２カード部材２０に加えていた押圧力を解除すると、付勢部材１８の付勢力でスライダー１４がカード挿入部６ｂ方向に自動的に移動して、図５４に示すように、スライダー１４が初期位置まで戻る。
このスライダー１４が初期位置に戻ることで、第２カード部材２０もカード装着部から排出される。
即ち、本発明のカード用コネクタ装置１は、第１、または第２カード部材１９、２０をプッシュ、プッシュ操作することで、カード装着部から着脱することができるようになっているので、操作性が良い。
そして、ハウジング２の外部に出ている第２カード部材２０の後端部側を把持して引き抜くことにより、板バネ１６の第２係合部１６ｊが弾性変形して第２凹部２０ｅから外れ、ハウジング２から第２カード部材２０を取り出すことができる。
【００６９】
また、カード装着部の第２装着部に装着または排出時の第２カード部材２０は、図５９に示すように、カバー部材１７の２本の第１リブ１７ｆ及び手前側の第２リブ１７ｇが上面に接するので、第２カード部材２０とカバー部材１７と接触面積を小さくすることができ、着脱時の第２カード部材２０とカバー部材１７との摺動摩擦を小さくすることができる。
また、第２カード部材２０を第２カード挿入口に挿入する際は、図６０に示すように、第２カード案内部材１２が臨出して、第２ガイド壁６ｄと共に第２カード部材２０の幅方向をガイドして内部のカード装着部（図示せず）に案内するようになっている。
【００７０】
【発明の効果】
以上説明したように、本発明のカード用コネクタ装置のは、第１カード部材を第１カード挿入口に挿入する際には、第２カード案内部材が第１カード部材に押されて第１カード挿入口の外側に位置し、第２カード部材を第２カード挿入口に挿入する際には、第２カード案内部材が臨出して第２ガイド壁と共に第２カード部材の幅方向をガイドしてカード装着部に案内するようにしたので、第１及び第２カード部材を確実にカード装着部に挿入して装着することができ、操作性の良いカード用コネクタ装置を提供できる。
【００７１】
また、第２カード案内部材は、第１カード挿入口に挿入する第１カード部材に押されて高さ規制部材が下方に回動することにより、規制が解除されるようにしたので、部品点数が少ない簡単な構造で第１及び第２カード部材を挿入することができる。
【００７２】
また、第１弾性部材の付勢力で上方に回動した高さ規制部材は、規制部が臨出状態の第２カード案内部材に係合することによって、所定の回動位置で回動が規制されるようにしたので、高さ規制部材で第２カード部材の高さ方向を確実にガイドできる。
【００７３】
また、第２カード案内部材は、支軸を第１カード挿入口の外側に支持すると共に、腕部を第２弾性部材で付勢することにより、第２カード案内部材が臨出可能としたので、挿入される第２カード部材の幅方向を第２カード案内部材で確実にガイドすることできる。
【００７４】
また、第１装着部には、第１カード部材の複数の接触部が接触可能な複数の第１端子部材を並設し、第２装着部には第２カード部材の接触部が接触可能な複数の第２端子部材を並設し、第１カード部材を挿入する際には、第１カード部材の接触部に接触しない位置まで第２端子部材を下方に撓ませる押圧部材を配設したので、第１装着部に挿入する第１カード部材の接触部が第２端子部材に接触しないので、接触部及び第２端子部材の摩耗を防止できる。また、挿入する第１カード部材の挿入抵抗を小さくでき操作性が良い。
【００７５】
また、押圧部材には、第２カード部材を第２装着部に挿入する際に、第２カード部材を第２装着部に案内するためのガイド部を形成したので、第２カード部材の挿入をガタなく確実に行うことができる。
【００７６】
また、第２カード部材は、前端部側の一方の角部近傍を切り欠きして切欠部を形成し、この切欠部に対応する位置の押圧部材に、切欠部に係合可能な突出部を形成したので、第２カード部材の逆挿入を防止することができる。
【００７７】
また、押圧部材を上方に付勢可能な付勢部を第１弾性部材に一体形成したので、部品点数を少なくすると共に組立性を向上させることができる。
【００７８】
また、第１カード挿入口の外側に支持される第２カード案内部材の支軸は、一方側がカード挿入部上を覆う金属製のカバー部材によって回動自在に支持されているので、カバー部材をハウジングに組み付けると同時に、第２カード案内部材を組み付けることができ、組立工数を削減した低コストカード用コネクタ装置を提供できる。
【図面の簡単な説明】
【図１】本発明のカード用コネクタ装置の構成を説明する図である。
【図２】本発明のカード用コネクタ装置の構成を説明する図である。
【図３】本発明のカード用コネクタ装置の構成を説明する図である。
【図４】本発明に係わるハウジングを説明する図である。
【図５】本発明に係わるハウジングを説明する図である。
【図６】本発明に係わるハウジングを説明する図である。
【図７】本発明に係わるハウジングを説明する図である。
【図８】本発明に係わるハウジングを説明する図である。
【図９】本発明に係わるハウジングを説明する図である。
【図１０】本発明に係わるハウジングを説明する図である。
【図１１】本発明に係わるハウジングを説明する図である。
【図１２】本発明に係わる第１端子部材を説明する図である。
【図１３】本発明に係わる第１端子部材を説明する図である。
【図１４】本発明に係わる第１端子部材を説明する図である。
【図１５】本発明に係わる第２端子部材を説明する図である。
【図１６】本発明に係わる第２端子部材を説明する図である。
【図１７】本発明に係わる第２端子部材を説明する図である。
【図１８】本発明に係わる押圧部材を説明する図である。
【図１９】本発明に係わる押圧部材を説明する図である。
【図２０】本発明に係わる押圧部材を説明する図である。
【図２１】本発明に係わる押圧部材を説明する図である。
【図２２】本発明に係わる高さ規制部材を説明する図である。
【図２３】本発明に係わる高さ規制部材を説明する図である。
【図２４】本発明に係わる第１弾性部材を説明する図である。
【図２５】本発明に係わる第１弾性部材を説明する図である。
【図２６】本発明に係わる第１弾性部材を説明する図である。
【図２７】本発明に係わる第２カード案内部材を説明する図である。
【図２８】本発明に係わる第２カード案内部材を説明する図である。
【図２９】本発明に係わる第２カード案内部材を説明する図である。
【図３０】本発明に係わる第２弾性部材を説明する図である。
【図３１】本発明に係わる第２弾性部材を説明する図である。
【図３２】本発明に係わるスライダーを説明する図である。
【図３３】本発明に係わるスライダーを説明する図である。
【図３４】本発明に係わるスライダーを説明する図である。
【図３５】本発明に係わるスライダーを説明する図である。
【図３６】本発明に係わる摺動部材を説明する図である。
【図３７】本発明に係わる板バネを説明する図である。
【図３８】本発明に係わる板バネを説明する図である。
【図３９】本発明に係わるカバー部材を説明する図である。
【図４０】本発明に係わるカバー部材を説明する図である。
【図４１】本発明に係わる第１カード部材を説明する図である。
【図４２】本発明に係わる第２カード部材を説明する図である。
【図４３】本発明に係わる第１カード部材の装着動作を説明する図である。
【図４４】本発明に係わる第１カード部材の装着動作を説明する図である。
【図４５】本発明に係わる第１カード部材の装着動作を説明する図である。
【図４６】本発明に係わる第１カード部材の装着動作を説明する図である。
【図４７】本発明に係わる第１カード部材の装着動作を説明する図である。
【図４８】本発明に係わる第１カード部材の装着動作を説明する図である。
【図４９】本発明に係わる第１カード部材の装着動作を説明する図である。
【図５０】本発明に係わる第１カード部材の装着動作を説明する図である。
【図５１】本発明に係わる第１カード部材の装着動作を説明する図である。
【図５２】
本発明に係わる第２カード部材の装着動作を説明する図である。
【図５３】
本発明に係わる第２カード部材の装着動作を説明する図である。
【図５４】
本発明に係わる第２カード部材の装着動作を説明する図である。
【図５５】
本発明に係わる第２カード部材の装着動作を説明する図である。
【図５６】
本発明に係わる第２カード部材の装着動作を説明する図である。
【図５７】
本発明に係わる第２カード部材の装着動作を説明する図である。
【図５８】
本発明に係わる第２カード部材の装着動作を説明する図である。
【図５９】
本発明に係わる第２カード部材の装着動作を説明する図である。
【図６０】
本発明に係わる第２カード部材の装着動作を説明する図である。
【符号の説明】
１　本発明のカード用コネクタ装置
２　ハウジング
２ａ　後部底壁
２ｅ　開口部
２ｆ　第１ガイド壁
２ｇ　第２ガイド壁
２ｊ　前部底壁
３　カム溝
４　端子ガイド部
５　ガイド支持部
６　前側壁
７　第１端子部材
８　第２端子部材
９　押圧部材
１０　高さ規制部材
１１　第１弾性部材
１２　第２カード案内部材
１３　第２弾性部材
１４　スライダー
１５　摺動部材
１６　板バネ
１７　カバー部材
１８　付勢部材
１９　第１カード部材
１０　第２カード部材
【図１】
2004071257.tif 000003
【図２】
2004071257.tif 000004
【図３】
2004071257.tif 000005
【図４】
2004071257.tif 000006
【図５】
2004071257.tif 000007
【図６】
2004071257.tif 000008
【図７】
2004071257.tif 000009
【図８】
2004071257.tif 000010
【図９】
2004071257.tif 000011
【図１０】
2004071257.tif 000012
【図１１】
2004071257.tif 000013
【図１２】
2004071257.tif 000014
【図１３】
2004071257.tif 000015
【図１４】
2004071257.tif 000016
【図１５】
2004071257.tif 000017
【図１６】
2004071257.tif 000018
【図１７】
2004071257.tif 000019
【図１８】
2004071257.tif 000020
【図１９】
2004071257.tif 000021
【図２０】
2004071257.tif 000022
【図２１】
2004071257.tif 000023
【図２２】
2004071257.tif 000024
【図２３】
2004071257.tif 000025
【図２４】
2004071257.tif 000026
【図２５】
2004071257.tif 000027
【図２６】
2004071257.tif 000028
【図２７】
2004071257.tif 000029
【図２８】
2004071257.tif 000030
【図２９】
2004071257.tif 000031
【図３０】
2004071257.tif 000032
【図３１】
2004071257.tif 000033
【図３２】
2004071257.tif 000034
【図３３】
2004071257.tif 000035
【図３４】
2004071257.tif 000036
【図３５】
2004071257.tif 000037
【図３６】
2004071257.tif 000038
【図３７】
2004071257.tif 000039
【図３８】
2004071257.tif 000040
【図３９】
2004071257.tif 000041
【図４０】
2004071257.tif 000042
【図４１】
2004071257.tif 000043
【図４２】
2004071257.tif 000044
【図４３】
2004071257.tif 000045
【図４４】
2004071257.tif 000046
【図４５】
2004071257.tif 000047
【図４６】
2004071257.tif 000048
【図４７】
2004071257.tif 000049
【図４８】
2004071257.tif 000050
【図４９】
2004071257.tif 000051
【図５０】
2004071257.tif 000052
【図５１】
2004071257.tif 000053
【図５２】
2004071257.tif 000054
【図５３】
2004071257.tif 000055
【図５４】
2004071257.tif 000056
【図５５】
2004071257.tif 000057
【図５６】
2004071257.tif 000058
【図５７】
2004071257.tif 000059
【図５８】
2004071257.tif 000060
【図５９】
2004071257.tif 000061
【図６０】
2004071257.tif 000062